(57)【要約】【課題】簡素で安価な構成によりレール体を水平に保持して、手押しトロリを支障なく使用することのできる簡易クレーン装置が望まれている。【解決手段】簡易クレーン装置１は、本体フレーム２と、本体フレーム２に垂設された主脚部３，３，３，３と、本体フレーム２に配備されたレール体１５と、レール体１５に走行自在に配備された巻上機１７搬送用の手押しトロリ２４とを有する装置において、各主脚部３下部の進退脚部４と、進退脚部４に対し主脚部３を上下位置可変に保持する上下位置可変部５４と、巻上機１７の下方位置に設けられて吊り条２２を掛け回される滑車３８と、吊り条２２の掛止具２０を掛止する被掛止部１９を有する支持棒材１８と、支持棒材１８を起立姿勢に保持する姿勢保持部１１，１２，１３とを備えているものである。【選択図】図１
2009126704.tif 000002
【特許請求の範囲】
【請求項１】
本体フレームと、本体フレームに垂設された少なくとも３本の主脚部と、本体フレームに配備された水平方向のレール体と、レール体に走行自在に配備された巻上機搬送用の手押しトロリとを有する簡易クレーン装置において、
主脚部の下部に上下進退自在に設けられた進退脚部と、
進退脚部に対し主脚部を上下位置可変に保持する上下位置可変部と、
手押しトロリに取り付けられた巻上機の下方位置で、手押しトロリに水平軸心回り回動自在に設けられて巻上機の吊り条を掛け回される滑車と、
滑車に掛け回された吊り条の掛止具を掛止する被掛止部が滑車よりも高い位置に設けられた支持棒材と、
本体フレームに設けられて支持棒材を起立姿勢に保持する姿勢保持部とを備えていることを特徴とする簡易クレーン装置。
【発明の詳細な説明】
【技術分野】
【０００１】
本発明は、例えばミカンコンテナ、コンクリートブロック、小型パレットなど小さな積荷を簡便に吊り降ろしする手動式の手押しトロリを備えた簡易クレーン装置に関するものである。
【背景技術】
【０００２】
一般に、トラックの荷台に積荷を揚げ降ろしする手段として、タワー支柱を有する大型タワークレーンや、トラック荷台上に専用の中型クレーンを常備したトラッククレーンが知られているが、これらは小さな積荷にとって過大な設備であったり、常備搭載スペースを占有して荷積面積を小さくするという問題がある。
そこで、本発明者は、４本の主脚部が垂設された本体フレームに、水平方向のレール体を配備し、このレール体に巻上機搬送用の手押しトロリを走行自在に配備した車載可能な簡易クレーン装置を提案し、下記の特許文献１のように特許出願している。この簡易クレーン装置はレール体が水平になっている状態では、手押しトロリがレール体上で自ら移動することがなく、利用者は手押しトロリを手で引っ張ったり押したりしてレール体上で支障なく移動させることができる。
【０００３】
【特許文献１】特開２００１−２３７５号公報（明細書の段落［００２５］〜［００２７］、図８，１１，１２）
【発明の開示】
【発明が解決しようとする課題】
【０００４】
ところが、ミカン山などでトラックの停車場所として傾斜地しかないときには、油圧クレーン装置や油圧ジャッキ装置を持参し、簡易クレーン装置の本体フレームの一部分を持ち上げてレール体を水平にしなければならない。このような装置は比較的重量があることから老人や女性の農業従事者にとって取り扱い難いうえ、個々の農家が所有するには高価であった。そのために、上記のような簡易クレーン装置は構成が簡素で安価であるにも拘わらず、農業現場で使用され難かったのである。
【０００５】
本発明は、上記した従来の問題点に鑑みてなされたものであって、簡素で安価な構成によりレール体を水平に保持して、手押しトロリを支障なく使用することのできる簡易クレーン装置の提供を目的とする。
【課題を解決するための手段】
【０００６】
上記目的を達成するために、本発明に係る簡易クレーン装置は、本体フレームと、本体フレームに垂設された少なくとも３本の主脚部と、本体フレームに配備された水平方向のレール体と、レール体に走行自在に配備された巻上機搬送用の手押しトロリとを有する簡易クレーン装置において、主脚部の下部に上下進退自在に設けられた進退脚部と、進退脚部に対し主脚部を上下位置可変に保持する上下位置可変部と、手押しトロリに取り付けられた巻上機の下方位置で、手押しトロリに水平軸心回り回動自在に設けられて巻上機の吊り条を掛け回される滑車と、滑車に掛け回された吊り条の掛止具を掛止する被掛止部が滑車よりも高い位置に設けられた支持棒材と、本体フレームに設けられて支持棒材を起立姿勢に保持する姿勢保持部とを備えているものである。
【発明の効果】
【０００７】
本発明に係る簡易クレーン装置によれば、手押しトロリに取り付けられた巻上機の吊り条が滑車に掛け回されて上方に向けられ、姿勢保持部により起立姿勢に保持されている支持棒材の被掛止部に、吊り条の掛止部が掛止される。そこで、巻上機を駆動すると、吊り条は滑車を折り返し点として巻上機に引き込まれ、姿勢保持部の位置の本体フレームを持ち上げてレール体の傾きを変える。すなわち、本体フレームにおける姿勢保持部の位置を適宜に選定することにより、レール体の傾きを水平に変えることができる。そして、進退脚部を主脚部から上下に進退させて全ての進退脚部を接地させ、その状態で上下位置可変部により進退脚部に対し主脚部を上下位置可変に保持させる。これにより、レール体を水平にした状態で本体フレームの姿勢を保持できるので、手押しトロリを水平なレール体上で支障なく使用することができる。加えて、かかる簡易クレーン装置の構成は簡素であり安価に提供される。
【発明を実施するための最良の形態】
【０００８】
本発明の最良の実施形態を図面に基づいて説明する。尚、以下に述べる実施形態は本発明を具体化した一例に過ぎず、本発明の技術的範囲を限定するものでない。図１は本発明の一実施形態に係る簡易クレーン装置およびトラックの側面図、図２は前記簡易クレーン装置の平面図、図３は前記簡易クレーン装置の本体フレームなどの外観図、図４は前記簡易クレーン装置の部分拡大正面図である。
各図において、この実施形態に係る簡易クレーン装置１はいわゆるテルハ型であり、平面視で正方枠状に形成された本体フレーム２と、本体フレーム２の四隅部にボルト８などで垂設固定された４本の主脚部３，３，３，３とを備えている。本体フレーム２は構成の一部として、その上面に載置された上部レール体９を含んでいる。
【０００９】
それぞれの主脚部３は例えば鋼管などで構成されている。主脚部３の筒穴６の下端部には、進退脚部４が上下進退出入自在に収容されている。各主脚部３の下端部近傍には雌ネジ穴７が貫通して形成されている。雌ネジ穴７には把手付きボルト５が螺合され、把手付きボルト５を締めたり弛めたりすることにより、進退脚部４を出し入れして、進退脚部４に対し主脚部３を上下位置可変に保持固定するようになっている。すなわち、把手付きボルト５と主脚部３の雌ネジ穴７とから成る構成が上下位置可変部５４である。
【００１０】
上部レール体９はＩ形鋼から成り、その後端部が本体フレーム２の一辺中央部に載置されて枢支軸１０により横方向（図２中の２点鎖線Ｋの方向）旋回自在に軸支されている。枢支軸１０と対面する本体フレーム２の辺の上面には、正面視で門形の枠体２１が立設されている。そして、上部レール体９の自由端（前端）側は枠体２１の下方を通されて本体フレーム２の上面に摺動自在に載置され、枠体２１により旋回幅が規制される。
上部レール体９には上部台車１４が配備されている。上部台車１４はＨ形鋼から成り、左右上側のフランジ部に１対の車輪２５，２５（前部）および１対の車輪２６，２６（後部）が回動自在に軸支されている。左右下側のフランジ部間には車輪２７（後部）が回動自在に軸架されている。この場合、車輪２５，２５および車輪２６，２６が上部レール９の左右のフランジ上面９Ａ，９Ａに載って走行し、車輪２７が上部台車１４の下面に接して転動する。上部台車１４は上部レール体９の前端部に配設されたゴム製のストッパ４３によって前方へ抜け落ちないようになっている。また、上部台車１４の下面には、Ｉ形鋼から成るレール体１５の後端部が鋼材２９を挟んだ状態で溶接などにより連結されている。このレール体１５には手押しトロリ２４が配備される。
【００１１】
手押しトロリ２４は、図５〜図８に示すように、Ｈ形鋼から成る台車１６を備えている。この台車１６の左右上側のフランジ部には、１対の車輪３０，３０（前部）および１対の車輪３１，３１（後部）が回動自在に軸支されている。この場合、車輪３０，３０および車輪３１，３１がレール１５の左右のフランジ上面１５Ａ，１５Ａに載って走行する。台車１６はレール体１５の前端部に配設されたゴム製のストッパ４４によって前方へ抜け落ちないようになっている。
台車１６の後下部には垂下アーム３７が枢支軸４２を介して前後揺動可能に支持されている。垂下アーム３７の下端は二股脚部３９となっており、二股脚部３９に架け渡された水平軸心Ｃの枢支軸４０に滑車３８が回動自在に軸支されている。垂下アーム３７は、台車１６の下側のフランジ部に形成された雌ネジ部（図示省略）と螺合する固定用ボルト４１によって、垂直方向か後向き水平方向のいずれかで固定されるようになっている。台車１６の左右下側のフランジ部には、１対の軸穴３３，３３が形成されている。これらの軸穴３３，３３には、棒状の巻上機掛止部３４が挿通されて割りピンなどで抜け止め掛止されている。巻上機掛止部３４には巻上機位置決め用のスペーサリング３５，３５が嵌装される。
【００１２】
手押しトロリ２４により搬送される巻上機１７（例えばチェーンブロック）は、荷物に掛けられるフックや留め輪などの掛止具２０を先端に有する吊り条２２（例えばチェーン）と、吊り条２２を巻き上げ駆動する本体部３２と、本体部３２の上部に吊り下げ用として設けられた輪状の被掛止部３６と、本体部３２の駆動停止を操作するためのスイッチ２８とを備えている。巻上機１７のケーシング上部には、前記した巻上機掛止部３４を通されて掛止される輪状の被掛止部３６が設けられている。
【００１３】
支持棒材１８は簡易クレーン装置１の構成の一部であって、例えば鋼材で構成されており、その先端に輪状の被掛止部１９が形成されている。この被掛止部１９に、滑車３８に掛け回された吊り条２２の先端の掛止具２０が掛けられる。被掛止部１９は、支持棒材１８を立てた状態にしたときに滑車３８の軸心Ｃよりも高くなる位置の支持棒材１８に設けられる。
【００１４】
そして、上部レール体９には、平面視で半円枠状の姿勢保持部１１，１２，１３が形成されている。姿勢保持部１１，１２，１３は、枠内に挿通された支持棒材１８を倒すことなく起立姿勢に保持するものである。姿勢保持部１１，１２，１３の大きさは、挿通された支持棒材１８および吊り条２２が半円枠内で上下に自由に動ける大きさにしてある。尚、中央の姿勢保持部１２の位置は、上部レール体９が左右ほぼ中央部（すなわち前後方向の線上）にあるときに、平面視における簡易クレーン装置１の重心位置となるように設定されている。
【００１５】
尚、上記した滑車３８の高さ位置は、吊り条２２を出し入れする巻上機１７の出入開口よりも下方位置に配置される。この滑車３８に巻上機１７からの吊り条２２が掛け回される。また、滑車３８の軸心Ｃは左右方向よりも平面視で時計回りに僅かに偏角されている。これは、滑車３８に掛け回された吊り条２２がレール体１５や上部レール体９と干渉することを回避して、吊り条２２をスムースに姿勢保持部１１，１２，１３の上方に案内するためである。
このように、簡易クレーン装置１の構成は簡素であり安価に提供される。
【００１６】
上記のように構成された簡易クレーン装置１の作用を引き続いて説明する。この場合、簡易クレーン装置１は格納庫内の床面上に置かれており、格納庫の天井４５には、図１に示すように、掛止用の輪部４６が予め取り付けられているものとする。そこで、「トラックＴへの簡易クレーン装置１の積み込み動作」、「荷台２３上での簡易クレーン装置１の傾き調整」、「積荷の揚げ降ろし動作」について説明する。
「トラックＴへの簡易クレーン装置１の積み込み動作」
まず、上部レール体９の揺動端部を枠体２１の左右中央に旋回させる。そして、手押しトロリ２４を手で走行させて滑車３８を姿勢保持部１２の下方に移動させる（図１参照）。次に、巻上機１７のスイッチ２８を操作して吊り条２２を本体部３２から繰り出す。繰り出した吊り条２２を滑車３８に掛け回して上方に引き上げ、先端の掛止具２０を姿勢保持部１２内に通したのち、天井４５の輪部４６に引っ掛ける。続いて、スイッチ２８を操作して吊り条２２を本体部３２に巻き取ると（図１中の矢印Ｅ方向）、滑車３８が吊り条２２の折り返し点となって巻き取り力の反作用により簡易クレーン装置１が持ち上げられる（図１中の矢印Ｆ方向）。このとき、吊り条２２は簡易クレーン装置１の重心位置である姿勢保持部１２内を通されているので、簡易クレーン装置１はその全体がほとんど傾くことなく安定して宙に浮き上がる。進退脚部４，４，４，４がトラックＴの荷台２３よりも高く上がったところで巻上機１７の駆動を停止させ、荷台２３が簡易クレーン装置１の下方となる位置までトラックＴを移動させる。その後、スイッチ２８を操作して吊り条２２を本体部３２から繰り出して、簡易クレーン装置１を荷台２３上に降ろす（図１中の矢印Ｆと反対方向）。このようにトラックＴに積まれた簡易クレーン装置１は農場へ運搬される。
尚、荷台２３上で簡易クレーン装置１の位置を変える場合は、図１のように、姿勢保持部１２内に吊り条２２および支持棒材１８を通して掛止具２０を被掛止部１９に引っ掛け、前記と同様にして簡易クレーン装置１を持ち上げて移動させる。
【００１７】
「荷台２３上での簡易クレーン装置１の傾き調整」
図９に示すように、農場の路面Ｌが水平線Ｈから角度θ傾斜している場合、傾斜している下側の姿勢保持部（この例では１１）の下方位置に手押しトロリ２４を移動させる。そして、支持棒材１８と、滑車３８に掛け回した吊り条２２とを姿勢保持部１１内に通し、掛止具２０を被掛止部１９に引っ掛ける。そこで、巻上機１７を駆動して吊り条２２を巻き取ると（図９中の矢印Ｅ方向）、吊り条２２の巻き取り反作用により巻上機１７が持ち上げられる。この場合、吊り条２２は傾斜下側の姿勢保持部１１内を通されているので、簡易クレーン装置１の傾斜下側部分が、傾斜上側にある進退脚部４（０）の下端部を枢支点として持ち上げられる（図９中の矢印Ｍ方向）。そうして、レール体１５が水平方向を向いた状態で巻上機１７を駆動停止させる。このときの上部レール体９の位置を図９中の２点鎖線（符号９）で示す。この状態で、傾斜下側の進退脚部４は荷台２３から離れているから、把手付きボルト５を弛めて進退脚部４を主脚部３から引き下げて（図９中の矢印Ｎ方向）荷台２３に着地させる。そして、把手付きボルト５を締めて進退脚部４を主脚部３に固定する。これにより、レール体１５はしっかりと水平姿勢に保たれる。
【００１８】
尚、路面Ｌの水平線Ｈに対する傾きが図９と逆の（すなわち姿勢保持部１３側が低い）場合は、姿勢保持部１３内に吊り条２２および支持棒材１８を通して掛止具２０を被掛止部１９に引っ掛けたのちに巻上機１７を駆動することにより、レール体１５を水平とするように、簡易クレーン装置１の傾きを変えることができる。また、左右の傾きを変える場合は、予め上部レール体９の揺動端側を左側または右側に振らせておき、姿勢保持部１１〜１３のいずれかを用いて上記と同様の操作を行なうことにより、レール体１５を水平にすることができる。
【００１９】
「積荷の揚げ降ろし動作」
そこで、上部レール体９に対し上部台車１４およびレール体１５を手で前進させる（図１中の矢印Ｇ方向）。更に、レール体１５上で手押しトロリ２４を手で前進させて荷台２３の外方に配置する。そして、ミカンなどを収容したコンテナ５２に掛けられた鉤付きワイヤ５３に、吊り条２２の掛止具２０を引っ掛けたのち、巻上機１７を駆動してコンテナ５２を荷台２３よりも高く持ち上げる（図１中の矢印Ｊ方向）。そのままレール体１５上で手押しトロリ２４を手で後退させて荷台２３の上方に移動させ（図１中の矢印Ｇと反対方向）、巻上機１７の吊り条２２を弛めて荷台２３上にコンテナ５２を載置するのである。
【００２０】
上記した簡易クレーン装置１によれば、上部レール体９における姿勢保持部１１，１２，１３を適宜選定して吊り条２２の掛止具２０および支持棒材１８を用いることにより、レール体１５の傾きを水平にすることができる。その状態で進退脚部４を主脚部３から下向きに進出させて接地させ、把手付きボルト５の締付けにより進退脚部４に対し主脚部３をその位置に保持させることにより、レール体１５を水平にした状態で本体フレーム２の姿勢を保持できる。従って、手押しトロリ２４がレール体１５上で自ら走行し始めるといったことがなく、手押しトロリ２４を手で支障なく使用することができる。
【００２１】
上記の実施形態ではテルハ型の簡易クレーン装置を例示したが、本発明はそれに限定されるものでなく、例えばジブ型の簡易クレーン装置にも適用可能である。図１０および図１１にジブ型の簡易クレーン装置１ａを示す。この簡易クレーン装置１ａが前記の簡易クレーン装置１と異なるところは、上部レール体９、上部台車１４、および枠体２１を備えていないこと、姿勢保持部１１ａ，１２ａ，１３ａを有する懸架棒体４７を備えていること、レール体１５の代わりに、主脚部３の１つにレール体１５ａが横方向旋回自在に設けられていることである。１５ａもＨ形鋼を使用してある。
【００２２】
懸架棒体４７は、本体フレーム２において、レール体１５ａを設けた角隅部およびその対角位置の角隅部を除く、２つの角隅部間に架け渡されてボルト８などで固定されている。懸架棒体４７の姿勢保持部１２ａの位置は、レール体１５ａが対角の角隅部を向いているときに（図１１に示した状態）、平面視における簡易クレーン装置１ａの重心位置となるように設定されている。レール体１５ａの末端部は回転筒４８の外周面に固設されている。回転筒４８はその上下筒開口に装着された例えば砲金製の滑り軸受５０，４９を介して主脚部３に回動自在に軸支され、主脚部３の途中に固設された例えば砲金製のスラスト軸受５１によりスラスト支持されている。これにより、レール体１５ａは主脚部３の縦軸心回り（図１１中の２点鎖線Ｐ）に３６０度横旋回可能となっている。このレール体１５ａにも、巻上機１７を取り付けた手押しトロリ２４が配備される。
【００２３】
この簡易クレーン装置１ａにおいても、中央の姿勢保持部１２ａ内に吊り条２２および支持棒材１８を通して掛止具２０を被掛止部１９に引っ掛けたのちに、巻上機１７を駆動することにより、簡易クレーン装置１ａ全体を持ち上げることができる。一方、姿勢保持部１１ａ内または姿勢保持部１３ａ内に吊り条２２および支持棒材１８を通して掛止具２０を被掛止部１９に引っ掛けたのちに、巻上機１７を駆動することにより、レール体１５ａを設けた主脚部３の軸心を鉛直にするよう（すなわち、レール体１５ａを水平にするよう）に、簡易クレーン装置１ａの傾きを変えることができる。
【００２４】
尚、上記では４本の主脚部を例示したが、本体フレームに３本または５本以上の主脚部を設けたものでも構わない。また、上記では巻上機として、チェーンを用いるチェーンブロックを例示したが、吊り条としてワイヤロープを用いるロープホイストなどを使用することも可能である。これらの巻上機の駆動源は特に限定されないが、例えば手動、電動、エア駆動、油圧駆動、スチーム駆動などが挙げられる。
【図面の簡単な説明】
【００２５】
【図１】本発明の一実施形態に係る前記簡易クレーン装置およびトラックの側面図である。
【図２】前記簡易クレーン装置の平面図である。
【図３】前記簡易クレーン装置の本体フレームなどの外観図である。
【図４】前記簡易クレーン装置の部分拡大正面図である。
【図５】前記簡易クレーン装置の手押しトロリを示す正面図である。
【図６】前記手押しトロリの側面図である。
【図７】前記手押しトロリの底面図である。
【図８】前記手押しトロリの平面図である。
【図９】前記簡易クレーン装置の動作を示す説明図である。
【図１０】本発明の別の実施形態に係る簡易クレーン装置の側面図である。
【図１１】前記別の簡易クレーン装置の平面図である。
【符号の説明】
【００２６】
１，１ａ  簡易クレーン装置
２    本体フレーム
３    主脚部
４    進退脚部
５    把手付きボルト
７    雌ネジ穴
９    上部レール体
１１，１１ａ，１２，１２ａ，１３，１３ａ  姿勢保持部
１５，１５ａ  レール体
１７  巻上機
１８  支持棒材
１９  被掛止部
２０  掛止具
２２  吊り条
２４  手押しトロリ
３７  垂下アーム
３８  滑車
４７  懸架棒体
５４  上下位置可変部
Ｃ    水平軸心
Ｈ    水平線
【図１】
2009126704.tif 000003
【図２】
2009126704.tif 000004
【図３】
2009126704.tif 000005
【図４】
2009126704.tif 000006
【図５】
2009126704.tif 000007
【図６】
2009126704.tif 000008
【図７】
2009126704.tif 000009
【図８】
2009126704.tif 000010
【図９】
2009126704.tif 000011
【図１０】
2009126704.tif 000012
【図１１】
2009126704.tif 000013